(57)【特許請求の範囲】
【請求項１】
内燃機関の燃焼室への給気を加圧するターボチャージャのタービンハウジングとコンプレッサハウジングとの間に介装され、軸受部を有する軸受ハウジングと、
該軸受ハウジング内を貫通するタービンロータのロータ軸と、
前記軸受部と前記ロータ軸との間に介装されると共に、外周面と内周面とを連通する給油孔を設け、前記軸受ハウジングからの潤滑油を前記外周面と前記内周面に供給されるようにした浮動ブッシュと、を備え、
前記浮動ブッシュの内周面に、該内周面に沿い且つ、前記給油孔との連通を避けた位置に、周方向に延びて形成される溝形状からなり、潤滑油の流れを受け止めて圧力を発生させる受圧部を設けたことを特徴とするターボチャージャの軸受装置。
【請求項２】
前記受圧部は前記内周面の周方向へ等間隔に複数配設したことを特徴とする請求項１記載のターボチャージャの軸受装置。
【請求項３】
前記受圧部は前記ロータ軸の回転方向へ向かって深さが変化する溝形状になっていることを特徴とする請求項１記載のターボチャージャの軸受装置。
【請求項４】
前記受圧部は前記ロータ軸の回転方向へ向かって深くなる溝形状で、該溝形状の最終部が受圧面になっていることを特徴とする請求項１記載のターボチャージャの軸受装置。
【請求項５】
前記受圧面は前記溝形状を形成する底面と成す角度θを直角又は、鋭角に形成したことを特徴とする請求項４記載のターボチャージャの軸受装置。
【請求項６】
前記溝形状の幅は、前記ロータ軸の回転方向に沿って狭くしたことを特徴とする請求項３記載のターボチャージャの軸受装置。
【請求項７】
前記受圧部は前記浮動ブッシュの幅方向中心の両側に千鳥状に配設したことを特徴とする請求項１記載のターボチャージャの軸受装置。
【請求項８】
前記浮動ブッシュをロータ軸に対しオフセット軸受としたことを特徴とする請求項１乃至７記載のターボチャージャの軸受装置。
【発明の詳細な説明】
【技術分野】
【０００１】
本発明は、ターボチャージャなどの高速回転軸を有する回転機械に好適である浮動ブッシュ軸受に関する。
【背景技術】
【０００２】
浮動ブッシュ軸受は、回転軸と軸受ハウジングとの隙間に浮動ブッシュを回転可能に介装させ、軸受ハウジングから供給される加圧された潤滑油を軸受ハウジング内周面と浮動ブッシュの外周面との間に供給すると共に、浮動ブッシュに設けた半径方向の給油路によって、浮動ブッシュ内周面と回転軸との隙間に供給する。
そして、これらの隙間に形成された潤滑油膜の減衰効果によって回転軸の振動を抑制しながら安定した支持を行い、且つ焼付きを防止するように構成されている。
【０００３】
図７に、ターボチャージャなどの高速回転機械の回転軸を回転可能に支持する浮動ブッシュ軸受の詳細図を示す。
図７において、ターボチャージャ０１００は、一対の羽根車０１０２ａ及び０１０２ｂとこれらを一体的に連結するロータ軸０１０４からなる。浮動ブッシュ軸受０１１０は、軸受ハウジング０１１２と、該軸受ハウジング０１１２とロータ軸０１０４との間に介装されて、ロータ軸０１０４を回転可能に支持する浮動ブッシュ０１１４とから構成されている。
【０００４】
軸受ハウジング０１１２及び浮動ブッシュ０１１４には、夫々油路０１１６及び０１１８が設けられている。そして、潤滑油は軸受ハウジング０１１２から油路０１１６及び０１１８を通って、軸受ハウジング０１１２の内周面と浮動ブッシュ０１１４の外周面の隙間、及び浮動ブッシュ０１１４の内周面とロータ軸０１０４との隙間に供給される。
浮動ブッシュ０１１４は回転可能に配設され、ロータ軸０１０４との摺動抵抗によりロータ軸０１０４より遅い速度で連れ回りする。
潤滑油でこれらの隙間に油膜を形成することで、該隙間の摺動面に発生する焼付き、損傷（磨耗）を防止している。
【０００５】
また、特開昭５８−１４２０１４号公報（特許文献１）には浮動ブッシュの内外周面間を連通する給油路を設けると共に、浮動ブッシュの外周面又は、内周面に該給油路に連通した溝部を形成し、該溝部の隙間に潤滑油による高い動圧力を発生させることにより、浮動ブッシュの内外周面への潤滑油の供給を行い、内外周面の焼付き、損傷を防止する技術が開示されている。
【０００６】
更に、特開２００７−４６６４２号公報（特許文献２）においては、フルフロートベアリングの内周面及び外周面の少なくとも一方に螺旋溝が設けられて、フルフロートベアリングが回転すると内周面及び外周面の少なくとも一方に設けられた螺旋溝により、内周面及び外周面が流体（潤滑油）から受ける圧力の分布が軸方向に沿って変化する技術が開示されている。この変化によってフルフロートベアリングが安定状態となりにくく、自励振動を抑制するようにしたものが示されている。
【先行技術文献】
【特許文献】
【０００７】
【特許文献１】特開昭５８−１４２０１４号公報
【特許文献２】特開２００７−４６６４２号公報
【発明の概要】
【発明が解決しようとする課題】
【０００８】
特許文献１においては、浮動ブッシュの内外周面間を連通する給油路に連通した溝部を外周面又は、内周面に設け、潤滑油の動圧力によって、潤滑油不足を解消するものである。
更に、特許文献２においては、フルフロートベアリングの内周面及び外周面の少なくとも一方に螺旋溝が設けられている構造によって、フルフロートベアリングの自励振動を抑制するようにしたものである。
従って、これら特許文献１、２には、低速回転域の早い時期にロータ軸に対し連れ回りさせて、低速回転時における摩擦損失を低減させるような構造については開示されていない。
【０００９】
そこで、本発明はこのような不具合に鑑み成されたもので、浮動ブッシュの内周面に、該浮動ブッシュの内外周面を連通する給油孔を避けた位置に、潤滑油の流れを受け止めて圧力を発生させる受圧部を設けることにより、浮動ブッシュを低速回転域の早い時期にロータ軸に対し連れ回りさせて、低速回転時における摩擦損失の低減を図り、ターボチャージャの低速回転域での過給圧力上昇を図ることを目的とする。
【課題を解決するための手段】
【００１０】
本発明はかかる目的を達成するもので、内燃機関の燃焼室への給気を加圧するターボチャージャのタービンハウジングとコンプレッサハウジングとの間に介装され、軸受部を有する軸受ハウジングと、該軸受ハウジング内を貫通するタービンロータのロータ軸と、
前記軸受部と前記ロータ軸との間に介装されると共に、外周面と内周面とを連通する給油孔を設け、前記軸受ハウジングからの潤滑油を前記外周面と前記内周面に供給されるようにした浮動ブッシュと、を備え、前記浮動ブッシュの内周面に、該内周面に沿い且つ、前記給油孔との連通を避けた位置に、周方向に延びて形成される溝形状からなり、潤滑油の流れを受け止めて圧力を発生させる受圧部を設けたことを特徴とすることを特徴とする。
【００１１】
かかる発明において、浮動ブッシュの内周面に周方向に延びて形成される溝形状からなり、潤滑油の流れを受け止めて圧力を発生させる受圧部を設けたので、ロータ軸の低回転域において、浮動ブッシュのロータ軸による連れ回りを早期に発生させて、ロータ軸の回転摩擦抵抗を軽減し、ターボチャージャの低回転域での過給圧力向上を図ることができる。
【００１２】
また、本願発明において好ましくは、前記受圧部は前記内周面の周方向へ等間隔に複数配設するとよい。
【００１３】
このような構成にすることにより、浮動ブッシュに発生する回転力を周方向においてバランスさせ、浮動ブッシュの連れ回りの回転力の変動を小さくすることにより、浮動ブッシュの回転騒音、回転斑の発生を抑制する。
【００１４】
また、本願発明において好ましくは、前記受圧部は前記給油孔を避けて前記ロータ軸の回転方向へ向かって深さが変化する溝形状にするとよい。
【００１５】
このような構成にすることにより、受圧部の溝の底面深さを変化させることにより、潤滑油の回転に対向する斜面（又は垂直面）に潤滑油があたり、浮動ブッシュの回転力を生起させて、浮動ブッシュの回転をターボチャージャの低回転域においても容易に起動させることができる。
【００１６】
また、本願発明において好ましくは、前記受圧部は前記給油孔を避けて前記ロータ軸の回転方向へ向かって深くなる溝形状で、該溝形状の最終部が受圧面を形成するとよく、さらに、前記受圧面は前記溝形状を形成する底面と成す角度θを直角又は、鋭角に形成するとよい。
【００１７】
このような構成にすることにより、前記受圧部は回転方向に進むに従い、深くなる溝形状なので、潤滑油がロータ軸の回転に沿って滑らかに溝形状部に導入されるので、気泡等の発生が抑えられ、浮動ブッシュの回転斑（気泡による回転抵抗）をなくし、受圧面に効率よく圧力を発生させることができ、浮動ブッシュの回転をターボチャージャの低回転域においても容易に起動させることができる。
さらに、受圧面が前記溝形状を形成する底面と成す角度θを直角又は、鋭角に形成されているため、受圧面に当たった潤滑油がロータ軸と浮動ブッシュとの隙間に逃げ難く、ロータ軸の低回転域においても浮動ブッシュの回転起動力を効果的に得ることができる。
【００１８】
また、本願発明において好ましくは、前記溝形状の幅は、前記ロータ軸の回転方向に沿って狭くするとよい。
【００１９】
このような構成にすることにより、溝形状の幅の幅が回転方向に沿って狭くしたので、潤滑油が受圧面に至るまでに、溝形状部分とロータ軸との間において圧力が高まり、受圧面の圧力がより高くなるので、浮動ブッシュの回転をターボチャージャの低回転域においても容易に起動させることができる。
【００２０】
また、本願発明において好ましくは、前記受圧部は前記浮動ブッシュの幅方向中心の両側に千鳥状に配設されるとよい。
【００２１】
このような構成にすることにより、浮動ブッシュの受圧面を多く配置でき、ロータ軸の低回転域において浮動ブッシュの回転起動力が高くなると共に、受圧部を同位相（中心に対して片側）に配設した場合に比べ、ロータ軸と浮動ブッシュとの軸受面積が少なくなるのを防止でき支軸が安定する。
【００２２】
また、本願発明において好ましくは、前記浮動ブッシュをロータ軸に対しオフセット軸受としたことを特徴とする。
【００２３】
このような構成にすることにより、内周面とロータ軸との間、又は外周面と軸受ハウジングとの間の少なくとも一方において、内周面とロータ軸との隙間、又は外周面と軸受ハウジングとの隙間が、ラジアル方向の向きによって変化する（異なる）ので、その隙間に形成される油膜のバネ定数及び、減衰特性もラジアル方向の向きによって変化し、オイルウィップ（自励振動）が生じ難い回転軸系が実現できる。
従って、浮動ブッシュのロータ軸による連れ回りを早期に発生させて、ターボチャージャの低回転域における摩擦損失を低減させると共に、高回転域におけるロータ軸の安定支軸が可能となる。
【発明の効果】
【００２４】
本発明によれば、浮動ブッシュの内周面に受圧部を設けたので、ロータ軸の低回転域において、浮動ブッシュのロータ軸による連れ回りを早期に発生させて、ロータ軸の回転摩擦抵抗を軽減し、ターボチャージャの低回転域での過給圧力向上を図ることができる。
【図面の簡単な説明】
【００２５】
【図１】本発明の第１実施形態にかかるターボチャージャの軸受装置の拡大断面図を示す。
【図２】（Ａ）は第１実施形態の浮動ブッシュ軸受の概略図を示し、（Ｂ）は（Ａ）のＺ−Ｚ矢視図、（Ｃ）は（Ｂ）の変形例を示す。
【図３】第１実施形態の浮動ブッシュ軸受の内周面部分拡大斜視図を示す。
【図４】第２実施形態にかかる浮動ブッシュ軸受の概略図を示す。
【図５】（Ａ）は第３実施形態にかかる浮動ブッシュ軸受の概略図を示し、（Ｂ）は（Ａ）のＹ−Ｙ矢視図を示す。
【図６】第４実施形態にかかる浮動ブッシュ軸受の概略図を示す。
【図７】従来技術の説明図を示す。
【発明を実施するための形態】
【００２６】
（第１実施形態）
図１に、本発明を実施したターボチャージャの高速回転を回転可能に支持する浮動ブッシュ軸受の詳細図を示す。
図１において、ターボチャージャ１は、内燃機関（以後「エンジン」と称す）の排ガスによって駆動される排気タービン１４と、該排気タービン１４を覆うタービンハウジング１１と、排気タービン１４の駆動力によってエンジンへの給気を加圧するコンプレッサインペラ１５と、該コンプレッサインペラ１５を覆うコンプレッサハウジング１２と、排気タービン１４とコンプレッサインペラ１５とを一体的に連結するロータ軸１６と、タービンハウジング１１とコンプレッサハウジング１２と、の間に介装され該ロータ軸１６を軸支する軸受ハウジング１３と、ロータ軸１６のスラスト荷重を受けるスラストベアリング１６ｂと、コンプレッサインペラ１５側からの締結部材（図示省略）による締付に対し該コンプレッサインペラ１５の位置決めをするスリーブ１６ｃとで構成されている。
【００２７】
軸受ハウジング１３には、該ロータ軸１６のコンプレッサインペラ１５側を支軸する第１浮動ブッシュ軸受１７と、排気タービン１４側を支軸する第２浮動ブッシュ軸受１８と、が配設されている。
第１浮動ブッシュ軸受１７は、軸受ハウジング１３に形成された軸受部１３ｄと、該軸受部１３ｄに内嵌し、内部にロータ軸１６が配設される第１浮動ブッシュ１９とで構成されている。
第１浮動ブッシュ１９は環状に形成され、外周面から内周面に貫通した給油孔１９ａが配設されている。
また、第２浮動ブッシュ軸受１８は、軸受ハウジング１３に形成された軸受部１３ｄと、該軸受部１３ｄに内嵌し、内部にロータ軸１６が配設される第２浮動ブッシュ２０とで構成されている。
第２浮動ブッシュ２０は環状に形成され、外周面から内周面に貫通した給油孔２０ａが配設されている。
【００２８】
浮動ブッシュ軸受１７及び、１８には軸受ハウジング１３の連結口１３ａに連結された配管（図示省略）によって潤滑油が送油されている。
コンプレッサ側潤滑油路１３ｃは第１浮動ブッシュ軸受１７側に連結口１３ａから直線状に傾斜させた油路になっている。第１浮動ブッシュ軸受１７側に送油された潤滑油は、第１浮動ブッシュ軸受１７と、該第１浮動ブッシュ軸受１７とスラストベアリング１６ｂとの間にも送油させて、当該部の潤滑と冷却を行っている。
一方、タービン側潤滑油路１３ｂは第２浮動ブッシュ軸受１８側に連結口１３ａから直線状に傾斜させた油路になっている。第２浮動ブッシュ軸受１８側に送油された潤滑油は、第２浮動ブッシュ軸受１８と、ロータ軸１６の排気タービン１４側の拡径部に送油されて当該部の潤滑と冷却を行っている。
【００２９】
そして、第１浮動ブッシュ軸受１７に送油された潤滑油は、軸受部１３ｄと第１浮動ブッシュ１９の隙間を満たし、第１浮動ブッシュ１９の外周側から内周側に貫通した給油孔１９ａを通り、第１浮動ブッシュ１９とロータ軸１６の支軸部１６ａとの間に供給される。
また、第２浮動ブッシュ軸受１８に送油された潤滑油は、軸受部１３ｄと第２浮動ブッシュ２０の隙間を満たし、第２浮動ブッシュ２０の外周側から内周側に貫通した給油孔２０ａを通り、第２浮動ブッシュ２０とロータ軸１６の支軸部１６ａとの間に供給される。
そして、浮動ブッシュ１９及び、２０とロータ軸１６夫々を軸受ハウジング１３に対し潤滑油にて浮動支持させた構成になっている。
尚、説明上混乱を避けるため、第１浮動ブッシュ軸受１７（含む第１浮動ブッシュ１９）と第２浮動ブッシュ軸受１８（含む第２浮動ブッシュ２０）は同形状になっているにも係わらず説明した。
従って、以後は「第１浮動ブッシュ軸受１７」を「浮動ブッシュ軸受１７」として、さらに「第１浮動ブッシュ１９」を「浮動ブッシュ１９」として説明する。
【００３０】
図２に本発明の浮動ブッシュ軸受１７を示し、図２に基づいて説明する。
図２（Ａ）は第１実施形態の浮動ブッシュ軸受の概略図を示し、（Ｂ）は（Ａ）のＺ−Ｚ矢視図、（Ｃ）は（Ｂ）の変形例を示す。
浮動ブッシュ軸受１７を構成する浮動ブッシュ１９は軸受ハウジング１３の軸受部１３ｄと浮動ブッシュ１９の外周面１９ｂとの間に油膜を形成するための隙間αを有するように配置されている。
浮動ブッシュ１９の内周面１９ｃとロータ軸１６の支軸部１６ａとの間に油膜を形成するための隙間βを有して遊嵌している。
これらの隙間α、βには、軸受ハウジング１３内のコンプレッサ側潤滑油路１３ｃ（タービン側潤滑油路１３ｂも同様）を通って潤滑油が圧送されてくる。
潤滑油は隙間αを満たしながら、浮動ブッシュ１９の給油孔１９ａを通って、浮動ブッシュ１９の内周面１９ｃと支軸部１６ａとの隙間βを満たし、ロータ軸１６は潤滑油によって浮いた状態に支持される。
【００３１】
そして、浮動ブッシュ１９の内周面１９ｃには、ロータ軸１６の回転方向に沿い、且つ、給油孔１９ａとの連通を避けた位置に、潤滑油の流れを受けて圧力を発生させる受圧部２５が周方向へ等間隔で２箇所に設けられている。
図３に示すように、受圧部２５は、ロータ軸１６の回転方向に向かって、浮動ブッシュ１９の内周面１９ｃから受圧面２５ａに向け底面２５ｃが滑らかに深く（ラジアル方向へ）なる溝２５ｂにより構成されている。
そして、受圧部２５は、給油孔１９ａを避けて内周面に沿って配設されている。
尚、図３では給油孔１９ａの側部の片側に配設してあるが、給油孔１９ａを中心にして両サイド〔図２（Ｂ）参照〕に設けてもよい。
また、本実施形態において、受圧面２５ａは該受圧面２５ａと溝２５ｂの底面２５ｃとの成す角度θが直角又は鋭角に形成してある。
【００３２】
従って、浮動ブッシュ１９は内周面１９ｃに周方向へ２箇所等間隔に配設したので、浮動ブッシュ１９に発生する回転力を周方向においてバランスさせ、浮動ブッシュの連れ回りの回転力の変動を小さくすることにより、浮動ブッシュの回転騒音、回転斑の発生を抑制することができる。
【００３３】
また、受圧部２５は回転方向に進むに従い、深くなる溝形状なので、潤滑油がロータ軸の回転に沿って滑らかに溝形状部に導入されるので、気泡（キャビテーション）等の発生が抑えられ、浮動ブッシュの回転斑（気泡による回転抵抗）をなくし、受圧面２５ａに潤滑油の動圧が作用して効率よく圧力を高めることができる。
更に、受圧面２５ａは該受圧面２５ａと溝２５ｂの底面２５ｃとの成す角度θが直角又は鋭角に形成してあるので、受圧面２５ａに受け止められた潤滑油がロータ軸１６と浮動ブッシュ１９との隙間に逃げ難く、ロータ軸１６の低回転域においても浮動ブッシュ１９の回転起動力が高くなり易くなる効果を有している。
さらに、溝２５ｂの幅Ｗを一定にしてあるが、回転方向に向かうに従い幅Ｗを狭めると、潤滑油が受圧面２５ａに至るまでに、溝形状部分とロータ軸との間において圧力が高まり、受圧面２５ａの圧力がより高くなるので、さらに、浮動ブッシュ１９の回転作用力を大きくすることができる。
また、さらに本実施形態では、受圧部２５を周方向へ２箇所等間隔に配設したが、受圧部２５の周方向の長さを短くして、受圧部２５は両サイドに千鳥状に配置してもよい。〔図２（ｃ）〕
この場合、浮動ブッシュの受圧面が多くなり、ロータ軸の低回転域において浮動ブッシュの回転起動力が高くなると共に、受圧部を同位相に配設した場合に比べ、ロータ軸と浮動ブッシュとの軸受面積が少なくなるのを防止でき、支軸が安定する。
【００３４】
（第２実施形態）
図４は本発明の第２実施形態にかる浮動ブッシュ軸受の概略形状を示す。
尚、本実施形態は浮動ブッシュの形状以外は同じなので、ターボチャージャ１の全体構造の説明は省略し、同じものは同一符号を付与して説明を省略し、浮動ブッシュの形状のみを説明する。
図４は浮動ブッシュ軸受２１の概略形状を示し、浮動ブッシュ軸受２１を構成する浮動ブッシュ２２は軸受ハウジング１３の軸受部１３ｄと浮動ブッシュ２２の外周面２２ｂとの間に油膜を形成するための隙間αを有するように配置されている。
浮動ブッシュ２２の内周面２２ｃとロータ軸１６の支軸部１６ａとの間に油膜を形成するための隙間βを有して遊嵌している。
これらの隙間α、βには、軸受ハウジング１３内のコンプレッサ側潤滑油路１３ｃ（タービン側潤滑油路１３ｂも同様）を通って潤滑油が圧送されてくる。
潤滑油は隙間αを満たしながら、浮動ブッシュ２２の給油孔２２ａを通って、浮動ブッシュ２２の内周面２２ｃと支軸部１６ａとの隙間βを満たし、ロータ軸１６は潤滑油の油膜によって浮いた状態に支持される。
【００３５】
そして、浮動ブッシュ２２の内周面２２ｃには、ロータ軸１６の回転方向に沿い、且つ、給油孔２２ａとの連通を避けた位置に、潤滑油の流れを受けて圧力を発生させる受圧部２３が周方向へ等間隔で２箇所に設けられている。
図４に示すように、受圧部２３は、ロータ軸１６の回転方向に向かって、浮動ブッシュ２２の内周面２２ｃに回転方向に沿って受圧面である底面２３ｂが滑らかに浅く（ラジアル方向へ）なる溝２３ａに成っている。
底面２３ｂは、浅くなっていく傾斜面に潤滑油が当接して、回転方向の作用力を生起させるものである。
そして、受圧部２３である溝２３ａは、給油孔２２ａを中心にして図２（Ｂ）に示すように、両サイドに配設されている。
さらに、溝２３ａの幅Ｗを一定にしてあるが、回転方向に向かうに従い幅Ｗを狭めるとさらに、浮動ブッシュ２２の回転作用力を大きくすることができる。
【００３６】
従って、浮動ブッシュ２２は内周面２２ｃに周方向へ２箇所等間隔に配設したので、浮動ブッシュ２２に発生する回転力が周方向においてバランスさせることになり、浮動ブッシュ１９の連れ回りの回転力の変動を小さくすることにより、浮動ブッシュの回転騒音、回転斑の発生を抑制することができる。
また、受圧部２３は回転方向に進むに従い、浅くなる溝形状なので、傾斜面に潤滑油が当接して、回転方向の作用力を生起させるものである。
【００３７】
（第３実施形態）
図５（Ａ）は、本発明の第３実施形態にかかる浮動ブッシュ軸受２６の概略形状を示し、（Ｂ）は（Ａ）のＹ−Ｙ矢視図を示す。
尚、本実施形態は浮動ブッシュの形状以外は同じなので、ターボチャージャ１の全体構造の説明は省略し、同じものは同一符号を付与して説明を省略し、浮動ブッシュの形状のみを説明する。
図５（Ａ）に示すように、浮動ブッシュ軸受２６を構成する浮動ブッシュ２７は軸受ハウジング１３の軸受部１３ｄと浮動ブッシュ２７の外周面２７ｂとの間に油膜を形成するための隙間αを有するように配置されている。
浮動ブッシュ２７の内周面２７ｃとロータ軸１６の支軸部１６ａとの間に油膜を形成するための隙間βを有して遊嵌している。
これらの隙間α、βには、軸受ハウジング１３内のコンプレッサ側潤滑油路１３ｃ（タービン側潤滑油路１３ｂも同様）を通って潤滑油が圧送されてくる。
潤滑油は隙間αを満たしながら、浮動ブッシュ２７の給油孔２７ａを通って、浮動ブッシュ２７の内周面２７ｃと支軸部１６ａとの隙間βを満たし、ロータ軸１６は潤滑油の油膜によって浮いた状態に支持される。
【００３８】
そして、図５（Ａ）に示すように、浮動ブッシュ２７の内周面２７ｃには、該内周面２７ｃに沿い、且つ、給油孔２７ａの周方向における間に受圧部２８が設けられている。
受圧部２８は、周方向に略同一深さの溝２８ａにより形成されている。
各溝の周方向の壁面２８ｃは底面２８ｂと成す角度θが直角又は鋭角に形成してある。受圧部２８は図５（Ａ）の回転方向側の壁面２８ｃに潤滑油が当接して、浮動ブッシュ２７の連れ回り力を生起するように形成されている。
尚、図５（Ｂ）では給油孔２７ａと給油孔２７ａとの間に受圧部２８が配設されているが、給油孔２７ａを中心にして両サイドに設けてもよいし、両方を併合してもよい。
さらに、溝２５ｂの幅Ｗを一定にしてあるが、回転方向に向かうに従い幅Ｗを狭めるとさらに、浮動ブッシュ２７の回転作用力を大きくすることができる。
【００３９】
従って、浮動ブッシュ２７は受圧部２８を給油孔２７ａと給油孔２７ａとの間に多数配設したので、ロータ軸１６の低回転域においても浮動ブッシュ２７の回転起動力が高くなり易くなる効果を有している。    
【００４０】
（第４実施形態）
図６は本発明の第４実施形態にかかる浮動ブッシュの拡大断面図である。
尚、本実施形態は浮動ブッシュの形状以外は同じなので、ターボチャージャ１の全体構造の説明は省略し、同じものは同一符号を付与して説明を省略し、浮動ブッシュの形状のみを説明する。
浮動ブッシュ軸受３０を構成する浮動ブッシュ３１は軸受ハウジング１３の軸受部１３ｄと浮動ブッシュ３１の外周面３１ｂとの間に油膜を形成するための隙間αを有するように配置されている。
浮動ブッシュ３１の内周面３１ａとロータ軸１６の支軸部１６ａとの間に油膜を形成するための隙間βを有して遊嵌している。
これらの隙間α、βには、軸受ハウジング１３内のコンプレッサ側潤滑油路１３ｃ（タービン側潤滑油路１３ｂも同様）を通って潤滑油が圧送されてくる。
潤滑油は隙間αを満たしながら、浮動ブッシュ１９の給油孔３１ｃを通って、浮動ブッシュ１９の内周面１９ｃと支軸部１６ａとの隙間βを満たし、ロータ軸１６は潤滑油によって浮いた状態に支持される。
【００４１】
浮動ブッシュ３１の内周面３１ａは円弧の半径Ｒの中心（Ｃ１，Ｃ２）が２箇所ある多円弧状に形成され（図６に示すように浮動ブッシュ軸受３０のラジアル方向の肉厚が変化）ている。
従って、ロータ軸１６に対し、浮動ブッシュ３１がオフセットした位置関係に配設されている。
尚、本実施形態では、浮動ブッシュ３１の内周面３１ａを多円弧状に形成したが、浮動ブッシュ３１の外周面３１ｂを多円弧状に形成してもよく、又は、内周及び外周面を多円弧状に形成しても同様の効果を得ることができる。
【００４２】
そして、浮動ブッシュ３１の内周面３１ａには、ロータ軸１６の回転方向に沿い、且つ、給油孔３１ｃとの連通を避けた位置に、潤滑油の流れを受け止めて圧力を発生させる受圧部３２が周方向へ等間隔で２箇所に設けられている。
受圧部３２は、ロータ軸１６の回転方向に沿って、浮動ブッシュ３１の内周面３１ａから第１受圧面３２ａに向け底面３２ｃが滑らかに深く（ラジアル方向）なる溝３２ｄが形成されている。
そして、溝３２ｄを形成している壁部は、該壁部の基点Ｐから受圧面２５ａに向う中間部で、且つ溝３２ｄの深さ方向（浮動ブッシュ３１のラジアル方向）中間部までを削除して、周方向の第２受圧面３２ｂを形成したものである。
また、第２受圧面３２ｂは上記削除した溝３２ｄの壁面の厚さ面と成す角度θ２を直角又は鋭角に形成して、浮動ブッシュ３１の回転起動力が高くなり易くしている。
これにより、浮動ブッシュ３１は、第１受圧面３２ａに加え第２受圧面３２ｂによって、ロータ軸１６の低回転域でのロータ軸１６に対する連れ回り起動力がさらに増すこととなり、ターボチャージャの低回転域での更なる性能向上が図られる。
【００４３】
また、内周面３１ａとロータ軸１６との間、又は外周面３１ｂと軸受ハウジング１３との間の少なくとも一方において、ラジアル方向の向きによって内周面３１ａとロータ軸１６との隙間、又は外周面３１ｂと軸受ハウジング１３との隙間が、ラジアル方向の向きによって変化する（異なる）ので、その隙間に形成される油膜のバネ定数及び、減衰特性もラジアル方向の向きによって変化し、オイルウィップ（自励振動）が生じ難い回転軸系が実現できる。
従って、浮動ブッシュ３１のロータ軸１６による連れ回りを早期に発生させて、ターボチャージャの低回転域における摩擦損失を低減させると共に、高回転域におけるロータ軸１６の安定支軸が可能となる。
尚、本実施形態の場合、浮動ブッシュ３１の内周面３１ａ形状は、円弧がロータ軸１６の回転方向に沿って肉厚が小さくなる形状にしたが、円弧がロータ軸１６の回転方向に沿って肉厚が大きくなる形状にしても同様の効果を得ることができる。
【００４４】
従って、ロータ軸１６の回転数が比較的低い時期から浮動ブッシュ３１の連れ回りするようにすることにより、ターボチャージャ１が低速回転域においても浮動ブッシュ３１とロータ軸１６との回転抵抗を小さくして、低速域におけるターボチャージャ１の過給圧力の向上効果を得ると共に、浮動ブッシュ３１をオフセット軸受とすることで、高速域でのロータ軸１６の支軸を安定させることができる。
【００４５】
本発明によると、内周面１９ｃとロータ軸１６の支軸部１６ａとの間、又は外周面と軸受ハウジングとの間の少なくとも一方において、内周面とロータ軸との隙間、又は外周面と軸受ハウジングとの隙間が、ラジアル方向の向きによって変化する（異なる）ので、その隙間に形成される油膜のバネ定数及び、減衰特性もラジアル方向の向きによって変化し、オイルウィップ（自励振動）が生じ難い回転軸系が実現できる。
従って、浮動ブッシュのロータ軸による連れ回りを早期に生起させて、ターボチャージャの低回転域における摩擦損失を低減させ、回転作用力を大きくすることができると共に、高回転域におけるロータ軸の安定支軸が可能となる。
【産業上の利用可能性】
【００４６】
本発明によれば、浮動ブッシュの内周面に受圧部を設けたので、ロータ軸の低回転域において、浮動ブッシュのロータ軸による連れ回りを早期に発生させて、ロータ軸の回転摩擦抵抗を軽減し、低回転域での回転作用力を大きくすることができるため、ターボチャージャ等の回転機械に適用できる。
【符号の説明】
【００４７】
１      ターボチャージャ
１１      タービンハウジング
１２      コンプレッサハウジング
１３      軸受ハウジング
１３ａ    連結口
１３ｂ、１３ｃ    潤滑油路
１３ｄ    軸受部
１４      排気タービン
１５      コンプレッサインペラ
１６      ロータ軸
１６ａ    支軸部
１７，２１，２６，３０      第１浮動ブッシュ軸受（浮動ブッシュ軸受）
１８      第２浮動ブッシュ軸受
１９、２２，２７，３１      第１浮動ブッシュ（浮動ブッシュ）
１９ａ、２０ａ、２２ａ、２７ａ    給油孔
１９ｂ    外周面
１９ｃ    内周面
２０      第２浮動ブッシュ
２３、２５、２８，３２      受圧部
２５ａ  受圧面
２５ｂ  溝
【図１】
0005595346.tif 000002
【図２】
0005595346.tif 000003
【図３】
0005595346.tif 000004
【図４】
0005595346.tif 000005
【図５】
0005595346.tif 000006
【図６】
0005595346.tif 000007
【図７】
0005595346.tif 000008